(57)【特許請求の範囲】
【請求項１】
検尺ローラ、糊付ローラ等のローラ群と、上記ローラの駆動を制御する入力部、表示部、演算部からなる制御部を備えた自動糊付機において、制御部は、糊付設定長入力・表示手段と、クロスの柄単位幅であるリピート幅入力・表示手段と、リピート幅の整数倍で、糊付設定長よりも長く、かつ最も近い柄合わせ長を演算する手段を備えたことを特徴とする自動糊付機。
【請求項２】
検尺ローラ、糊付ローラ等のローラ群と、上記ローラの駆動を制御する入力部、表示部、演算部からなる制御部を備えた自動糊付機において、制御部は、糊付設定長入力・表示手段と、クロスの設定長糊付後、手動送りによりクロスの次の柄が合う位置までの柄合わせ長の記憶・表示手段を備えたことを特徴とする自動糊付機。
【請求項３】
演算または記憶された前記柄合わせ長に対して、予め定められた長さだけ手前である第２設定マイナス長だけ手前で糊付機を自動停止するための第２設定マイナス長入力、表示手段を備えたことを特徴とする請求項１または請求項２記載の自動糊付機。
【請求項４】
柄合わせ長から第２設定マイナス長を減じた第２設定長演算・表示手段を備えたことを特徴とする請求項３記載の自動糊付機。
【請求項５】
入力部は、リピート幅入力部と第２設定マイナス長入力部と第２設定長入力部を、表示部は、リピート幅表示部と第２設定マイナス長表示部と第２設定長表示部を備えたことを特徴とする請求項１または４に記載の自動糊付機。
【請求項６】
検尺ローラ、糊付ローラ等のローラ群と、上記ローラの駆動を制御する入力部、表示部、演算部からなる制御部を備えた自動糊付機において、制御部は、糊付設定長入力工程と、クロスの柄単位であるリピート幅入力工程と、リピート長の整数倍で、糊付設定長よりも長く、かつ最も近い柄合わせ長を演算する演算工程を備え、柄合わせ長に対して予め定められた長さだけ手前である第２設定マイナス長だけ手前で糊付機を自動停止することを特徴とする自動糊付機におけるクロス送り制御方法。
【請求項７】
検尺ローラ、糊付ローラ等のローラ群と、上記ローラの駆動を制御する入力部、表示部、演算部からなる制御部を備えた自動糊付機において、制御部は、糊付設定長入力工程と、第２設定マイナス長入力工程と、クロスの設定長糊付後、手動送りによりクロスの次の柄が合う位置までクロスを移動し、柄合わせ長を記憶する工程と、柄合わせ長に対して予め定められた長さだけ手前である第２設定マイナス長だけ手前で糊付機を自動停止することを特徴とする自動糊付機におけるクロス送り制御方法。
【請求項８】
検尺ローラ、糊付ローラ等のローラ群と、上記ローラの駆動を制御する入力部、表示部、演算部からなる制御部を備えた自動糊付機において、制御部は、糊付設定長入力・表示手段と、糊付第２設定長入力・表示手段とを備え、糊付設定長と糊付第２設定長で糊付機を自動停止することを特徴とする自動糊付機におけるクロス送り制御方法。
【請求項９】
設定された糊付第２設定長に対して、予め定められた長さまたは予め入力された長さだけ手前で自動停止することを特徴とする請求項８記載の自動糊付機におけるクロス送り制御方法。
【請求項１０】
糊付設定長糊付完了時における自動停止の決定を選択できることを特徴とする請求項６乃至９いずれかに記載の自動糊付機におけるクロス送り制御方法。
【発明の詳細な説明】
【０００１】
【発明の属する技術分野】
本発明は、壁紙糊付機に関するものである。さらに詳しくは、本発明は、自動壁紙糊付機を用いて、柄合わせを必要とするクロスに糊付けする際に、柄を合わせてカットする作業を効率化できる自動壁紙糊付機に関するものである。
【０００２】
【従来の技術】
クロスに糊付け作業を行う場合に用いられる従来の手動または自動の糊付機について、図７〜図８に基づき説明する。
従来より、糊付機でクロスに糊付けを行う際において、無地のクロスと柄物のクロスの場合では、糊付長さや糊付後の長さカットなどの糊付作業において以下のような相違があった。
【０００３】
無地のクロスの場合は、柄合わせは必要がないので、糊付必要長に３〜４ｃｍプラスした長さで糊付し、設定長で切断すればよい。
実際の作業手順としては、例えば糊付必要長である床から天井までの長さに３〜４ｃｍ程度をプラスした長さを糊付設定長として操作パネルに入力し、操作パネルのスタートスイッチを押すことにより、自動的に糊付けを開始し、設定長まで糊付すると自動停止するので作業者が切断する。つまり、糊付必要長の入力後、スタート、停止、カットの繰り返し動作が行われる。
【０００４】
一方、柄物のクロスの場合は、隣りに貼ったクロスとの柄合わせをしなければならないため、糊付後のクロスのカットも柄の位置をあわせてカットする必要がある。
そのため、一枚づつ、柄合わせをしてカットしなければならない。
図７は一般的な自動糊付機の側面断面図、図８は糊付機の表示・入力部を示す。
【０００５】
図７及び図８に基づいて、糊付の作業動作について説明する。図７において、１は糊付機の上部フレーム、２は下部フレーム、３は送り出しローラ、４はドクターローラ、５は糊付ローラ、６はナラシローラ、７は検尺ローラ、８はハイテンションローラ、９は押えローラ、１０は糊上ローラ、１１は糊箱、１２は紙受ブラケット、１３は原反芯棒、１４はサイド盤、１５はカッター、１６はカッターガイド、１７はクロス原反、１８はクロスである。
【０００６】
以下の説明においては糊付設定長は、２５３ｃｍとする。
<1>  クロス原反１７に芯棒１３を通し、芯棒１３をクロス両側のサイド盤１４に通してクロス原反を固定する。この原反１７を糊付機脚部の紙受けブラケット１２の芯棒受け部１２ａに載せる。次に、図７（ａ）に示すように、糊付機の上部フレーム１を開いて、クロス１８を送り出しローラ３、糊付ローラ５、ナラシローラ６上の所定の経路に沿って通し、クロス先端部を下部フレーム２に少し出した状態にして上部フレーム１を閉じる。
【０００７】
<2>  カッターガイド１６の位置と合わせたい柄位置を見ながら、図８（ａ）のインチングキーでクロスを送り、柄の合う位置で止める。（インチングキーは押している間だけ、クロスを送り出すスイッチである。）次に、図７（ｃ）に示すように、カッターガイド１６に沿ってカッター１５を移動してクロス１８を切断する。
【０００８】
<3>  糊付設定長２５３ｃｍを、図８（ａ）に示す入力部２０で入力する。クリアキーを押すと、図８（ｂ）の設定長表示部２２が０の点滅表示となり、テンキーから２、５、３と入力すると表示部２２には２５３が点滅表示される。次に、セットキーを押すと、２５３の点滅表示が点灯表示に変わり、設定長が確定入力される。
【０００９】
<4>  スタートキーを押すと、糊付けを開始し、図８（ｂ）のカウント長表示部２３に糊付けした長さが、１ｃｍごとにカウント表示され、表示部２３の表示が設定長２５３ｃｍになると自動停止する。
<5>  カッターガイド部１６にクロスを軽く押し付け、カッターガイド１６に沿ってクロス１８をカットする。
【００１０】
<6>  カット後、柄を見ながら次の柄あわせの位置までインチングキーを押したままでクロス１８を送る。
<7>  柄合わせカット位置までクロス１８を送ると、インチングキーから手を離し、クロス１８の送りを止める。
<8>  カッターガイド１６にクロス１８の柄を合わせてクロスを押さえ、カットする。（カットされるクロスは切り捨て分である）
<9>  同じ長さを続けて糊付けする場合は、以下の動作を行う。
【００１１】
<10>  リセットキーを押すと、図８（ｂ）のカウント長さ表示が０になる。その後、スタートキーを押し、<4>〜<8>の操作を繰り返す。
通常は、上記の作業手順で糊付け、柄合わせ、カットを行うが、柄のリピート幅により、<8>の不要な切り捨て部分が１０〜１５ｃｍ以下程度の場合には、<5>の設定長でのカットは行わない場合もある。
【００１２】
柄物のクロスの場合は、リピート幅と呼ばれる柄模様の繰り返しピッチ幅が、クロスの幅方向（ヨコ）と長さ方向（タテ）の両方にあり、幅方向はリピート幅もしくはリピート幅の整数倍が９０〜９３ｃｍ程度になるように予め決めてあるものが殆どであるため特に問題はない。しかし、長さ方向のリピート幅は数ｃｍから９０ｃｍ位のものまで多種多様で、中には１００ｃｍ以上のものもあり、リピート幅の大きいものは柄合わせのカットにおいて、上記<8>で述べた不要な切り捨て分が長くなるという問題を有する。
【００１３】
【発明が解決しようとする課題】
上記した従来の自動壁紙糊付機では、設定長まで糊付して自動停止した場合に、糊付機を動作するため、再度、スタートキーを押しても、クロスは設定長まで到達しているので糊付機は作動しないようになっている。したがって、柄の合う位置までクロスを動かそうとすれば、インチングキーを押し続けて柄の合う位置までクロスを移動させていた。
【００１４】
例えば、仮にリピート幅が１６ｃｍの場合には、１６，３２，４８，・・・・・・・，２４０，２５６，２７２，２８８ｃｍと１６の倍数でリピートの繰り返しを行い、上記従来例の場合では、<5>で２５３ｃｍでカットした後、<6>のインチングで２５６ｃｍまで、３ｃｍ程度送り、柄位置の位置合わせが行われる。
しかしながら、リピート幅が６２ｃｍの場合では、図６に示すように、６２，１２４，１８６，２４８，３１０，３７２ｃｍと６２の倍数でリピートの繰り返しを行うため、<5>で２５３ｃｍでカットした後、<6>のインチングで３１０ｃｍまで、約５７ｃｍもクロスを送らなければ柄位置の位置合わせができない。
【００１５】
そして通常インチングスピードは糊付速度に比べかなり遅い速度に設定しているため、クロスを５７ｃｍ送るのには長時間を必要とし、糊付効率が悪化する。例えば、糊付速度１４ｍ／分、インチング速度４ｍ／分の糊付機では、２５３ｃｍの糊付けは約１１秒でできるが、その後クロスを５７ｃｍ送るインチングには約８．５秒も要する。最近の糊付機ではインチング速度を作業者の技量にあわせて自由に変更できるようになっているが、目で見ながら柄位置に正確に止めるためには、あまり速い速度ではできず、糊付効率が悪化する。
【００１６】
また、インチングスイッチを押し続けるためには労力を要し、インチングスイッチを押している時間が長いため、柄位置を通り過ぎてしまうこともある。
そのため、上記<5>と<8>で行う２度のカットを行わず、上記の例においては設定長を３１０ｃｍにして一度でカットして、壁に貼った後に切断する方法もあるが、必要以上にクロスが長すぎると、壁に貼る際、天井からクロスを垂れ下げたときに床を糊で汚してしまうことになるため、やはり長すぎる時はカットが必要となる。通常、切り捨て長が１５ｃｍ程度までなら、１回カットで使う場合が多いが、それ以上の長さの場合は２度のカットが必要となる。
【００１７】
そのため、柄合わせの際の以上のような問題点を解決する事が望まれれていた。
このように従来の糊付機においては、柄合せを正確に行うことが困難であり、また糊付速度が低下し、糊付効率が悪化するという課題を有していた。
【００１８】
【課題を解決するための手段】
本発明は上記の課題を解決するもので、検尺ローラ、糊付ローラ等のローラ群と、上記ローラの駆動を制御する入力部、表示部、演算部からなる制御部を備えた自動糊付機において、制御部は、糊付設定長入力・表示手段と、クロスの柄単位幅であるリピート幅入力・表示手段と、リピート幅の整数倍で、糊付設定長よりも長く、かつ最も近い柄合わせ長を演算する手段を備えた自動糊付機である。
【００１９】
従来は、クロスを予め設定された設定長でカット後、柄合わせ位置までインチングスイッチを押し続けて、クロスの送りを行っていたが、本発明によれば、クロスの柄単位の幅であるリピート幅を予め入力することにより、糊付設定長よりも長く、かつ最も近い柄合わせ長を演算することができるようになる。また、第２設定マイナス長や、第２設定長を予め入力することにより、スタートキーを押すだけで、クロスを柄合わせ直前位置まで自動的に送ることができるようになり、残りの数ｃｍだけ柄を見ながらインチングでクロスを送ればよいため、特にリピート幅の長い場合等には、大幅に糊付時間を短縮でき、作業効率を格段に向上する糊付機を提供することができる。
【００２０】
また、検尺ローラ、糊付ローラ等のローラ群と、上記ローラの駆動を制御する入力部、表示部、演算部からなる制御部を備えた自動糊付機において、制御部は、糊付設定長入力・表示手段と、糊付第２設定長入力・表示手段とを備え、糊付設定長と糊付第２設定長で糊付機を自動停止することを特徴とする自動糊付機をも提供する。
【００２１】
【発明の実施の形態】
本発明の請求項１に記載の発明は、検尺ローラ、糊付ローラ等のローラ群と、上記ローラの駆動を制御する入力部、表示部、演算部からなる制御部を備えた自動糊付機において、制御部は、糊付設定長入力・表示手段と、クロスの柄単位幅であるリピート幅入力・表示手段と、リピート幅の整数倍で、糊付設定長よりも長く、かつ最も近い柄合わせ長を演算する手段を備えたことを特徴とするものであり、従来は、クロスを予め設定された設定長でカット後、柄合わせ位置までインチングスイッチを押し続けて、クロスの送りを行っていたが、本発明によれば、クロスの柄単位の幅であるリピート幅を予め入力することにより、リピート幅の整数倍で、糊付設定長よりも長く、かつ最も近い柄合わせ長を演算することができる。このため、その演算結果から少し手前の柄合わせ直前位置を容易に求めることができる。
【００２２】
請求項２に記載の発明は、検尺ローラ、糊付ローラ等のローラ群と、上記ローラの駆動を制御する入力部、表示部、演算部からなる制御部を備えた自動糊付機において、制御部は、糊付設定長入力・表示手段と、クロスの設定長糊付後、手動送りによりクロスの次の柄が合う位置までの柄合わせ長の記憶・表示手段とを備えたことを特徴とするものであり、クロスのリピート幅が解っていない場合であっても、糊付設定長入力手段と、クロスの設定長糊付後、手動送りによりクロスの次の柄が合う位置までクロスを移動し、柄合わせ長を記憶手段を備えたことにより、請求項１に記載の発明と同様に、柄合わせ長を演算することができ、その演算結果から少し手前の柄合わせ直前位置を容易に求めることができる。
【００２３】
請求項３に記載の発明は、演算または記憶された前記柄合わせ長に対して予め定められた長さだけ手前である第２設定マイナス長だけ手前で糊付機を自動停止するための第２設定マイナス長入力・表示手段を備えたことを特徴とするものであり、柄合わせ長に対して予め定められた長さだけ手前で糊付機を自動停止するため、スタートキーを押すだけで、クロスを柄合わせ直前位置まで自動的に送ることができるようになり、残りの数ｃｍだけ柄を見ながらインチングでクロスを送ればよいため、特にリピート幅の長い場合等には、大幅に糊付時間を短縮でき、作業効率を格段に向上することができる。
【００２４】
請求項４に記載の発明は、柄合わせ長から第２設定マイナス長を減じた第２設定長演算・表示手段を備えたことを特徴とするものであり、柄合わせ長から第２マイナス長を減じて第２設定長を演算する手段を備えたことにより、スタートキーを押すだけで、クロスを柄合わせ直前位置まで自動的に送ることができるようになり、残りの数ｃｍだけ柄を見ながらインチングでクロスを送ればよいため、特にリピート幅の長い場合等には、大幅に糊付時間を短縮でき、作業効率を格段に向上することができる。
【００２５】
請求項５に記載の発明は、入力部は、リピート幅入力部と第２設定マイナス長入力部と第２設定長入力部を、表示部は、リピート幅表示部と第２設定マイナス長表示部と第２設定長表示部を備えたことを特徴とするものであり、リピート幅表示部と第２マイナス長表示部と第２設定長表示部の表示を確認しながら、確実にクロスの送りを制御することができる。
【００２６】
請求項６に記載の発明は、検尺ローラ、糊付ローラ等のローラ群と、上記ローラの駆動を制御する入力部、表示部、演算部からなる制御部を備えた自動糊付機において、制御部は、糊付設定長入力工程と、クロスの柄単位であるリピート幅入力工程と、リピート幅の整数倍で、糊付設定長よりも長く、かつ最も近い柄合わせ長の演算工程を備え、柄合わせ長に対して予め定められた長さだけ手前で糊付機を自動停止することを特徴とする自動糊付機におけるクロス送り制御方法であり、スタートキーを押すだけで、クロスを柄合わせ直前位置まで自動的に送ることができるようになり、残りの数ｃｍだけ柄を見ながらインチングでクロスを送ればよいため、特にリピート幅の長い場合等には、大幅に糊付時間を短縮でき、作業効率を格段に向上することができる。この発明においては、柄合わせ長に対していくら手前で糊付機を自動停止するかについては、任意値を入力するようにしてもよいし、またソフトウェアにおける変更可能なパタメータ値としておいてもよい。
【００２７】
請求項７記載の発明は、検尺ローラ、糊付ローラ等のローラ群と、上記ローラの駆動を制御する入力部、表示部、演算部からなる制御部を備えた自動糊付機において、制御部は、糊付設定長入力工程と、クロスの設定長糊付後、手動送りによりクロスの次の柄が合う位置までクロスを移動し、柄合わせ長を記憶する工程と、柄合わせ長に対して予め定められた長さだけ手前で糊付機を自動停止することを特徴とする自動糊付機におけるクロス送り制御方法であり、柄合わせ長さを記憶させることにより、請求項６と同様の作用を有する。
【００２８】
請求項８に記載の発明は、検尺ローラ、糊付ローラ等のローラ群と、上記ローラの駆動を制御する入力部、表示部、演算部からなる制御部を備えた自動糊付機において、制御部は、糊付設定長入力・表示手段と、糊付第２設定長入力・表示手段とを備え、糊付設定長と糊付第２設定長で糊付機を自動停止することを特徴とするものであり、糊付設定長入力・表示手段と、糊付第２設定長入力・表示手段とを備えることにより、糊付設定長と糊付第２設定長で糊付機を自動停止する。糊付第２設定長はクロスの柄合わせのために使用し、柄合わせ位置またはその手前の任意の位置を作業者の好みで設定することができる。
【００２９】
請求項９に記載の発明は、設定された糊付第２設定長に対して、予め定められた長さまたは予め入力された長さだけ手前で自動停止することを特徴とするものであり、請求項３記載の発明とほぼ同様の作用を有する。
請求項１０に記載の発明は、糊付設定長糊付完了時における自動停止の決定を選択できることを特徴とするものであり、糊付長さ設定長から柄合わせ長までの長さが大きいときはこの部分を切断するために糊付設定長で自動停止させ、糊付長さ設定長から柄合わせ長までの長さが小さく施工に支障がないと判断される長さであれば自動停止をさせずに柄合わせ長または柄合わせ長の手前までクロスを移動させて糊付設定長での切断を省略するという効率的な糊付作業を行うことを可能とする。
【００３０】
次に、本発明の実施の形態について図面を参照して説明する。
〔実施の形態１〕
通常、購入したクロスにはリピート幅などを記入した伝票が付いていたり、クロスの見本帳にリピート幅が明示されている場合が多く、まず、リピート幅が予め明示されている場合の実施の形態について説明する。
【００３１】
図１に、本発明の表示部２５及び入力部２６を示す。図２に、制御ブロック図を示す。図２において、図７と同一構成については同一符号を付し、説明は省略する。
本発明の操作パネル部の表示部２５には、図１に示すように従来の表示の他に、第２設定長表示部２５ａ、リピート幅表示部２５ｂ及び第２設定マイナス長表示部２５ｃを設け、入力部２６の操作キー部には、従来の入力キーの他に、リピート幅キー２６ａ、第２設定マイナスキー２６ｂ及び第２設定キー２６ｃを設ける。
【００３２】
制御ブロック図は、図２に示すように入力部２６、表示部２５、演算部２７から構成される制御部と、モーター制御部２８、モーター２９、エンコーダ３０及び検尺ローラ７、糊付ローラ５等からなる糊付機部より構成される。
以下、図３（ａ）〜（ｄ）に基づき糊付の作業動作について説明する。
以下の説明においては、リピート幅：６２ｃｍ、第２設定マイナス長：３ｃｍ、設定長：２５３ｃｍとする。
【００３３】
１）通常は図３（ａ）に示すように、表示部２５のカウント長表示部２５ｄ、設定枚数表示部２５ｅ、設定長表示部２５ｆがそれぞれ表示されており、リピート幅表示部２５ｂ、第２設定マイナス長表示部２５ｃ、第２設定長表示部２５ａには何も表示されていない。
２）まず、図１に示すマイナスキー２６ｂを押すと、第２設定マイナス長表示部２５ｃに、０の点滅表示が出て、入力待ちとなる。ここで、テンキーから「３」を押すと、表示部２５ｃに３が点滅表示される。次に、セットキー２６ｄを押すと、点滅が点灯表示に変わり、演算部２７に「第２設定マイナス長」として、記憶される。
【００３４】
３）次に、リピート幅キー２６ａを押すと、リピート幅表示部２５ｂに０の点滅表示が出る。次に、糊付しようとするクロスのリピート幅の数値６２をテンキーから打ち込むと、リピート幅表示部２５ｂに６２が点滅表示される。ここで、セットキー２６ｄを押すと、６２の表示が点滅から点灯表示に変わり、演算部２７にリピート幅として記憶される。
【００３５】
４）リピート幅が入力されると、演算部２７で第２設定長が自動的に計算され、図３（ｂ）に示すように、第２設定長表示部２５ａに３０７が表示される。
ここで、計算される「第２設定長」とは、糊付設定長よりも長く、かつ最も近いリピート幅の整数（ｎ）倍の長さ（柄合わせ長）から、第２設定マイナス長を減じた長さであり、
「第２設定長」＝「リピート幅」×ｎ−「第２設定マイナス長」
（ｎは整数で、「糊付設定長さ」÷「リピート幅」＝ｍ  においてｍが小数点以下を持った値であるときは、小数部分を切り上げた整数（ｍ＋１）＝ｎとし、ｍが小数点以下を持たない整数であるときはｍ＝ｎとする。）
である。
【００３６】
仮に、糊付設定長：２５３ｃｍ、第２設定マイナス長：３ｃｍ、リピート幅：６２ｃｍとすると、
「第２設定長」は
２５３÷６２＝４．０８０６．．．  よってｎ＝４＋１  ＝５
「第２設定長」＝「リピート幅」×ｎ−「第２設定マイナス長
＝６２×５−  ３＝３０７
となる。ここでは、上記のような計算方法でｎを求めたが、他の計算方法でもよい。
【００３７】
５）次に、糊付したい長さ（糊付設定長）を入力する。クリアキー２６ｅを押すと、糊付設定長表示部が０の点滅表示となるので、テンキーで糊付したい長さの数値２５３を打ち込み、セットキー２６ｄを押す。ここで、設定長を変ると、その数値に対応した第２設定長が計算され、自動表示される。
設定長を入力すると、枚数表示部に０が点滅表示されるので、糊付したい枚数をテンキーから入力してセットキーを押す。（枚数に０以外の数値を入力した場合は、一枚糊付けするごとに枚数表示が減算されていく減算表示となり、０を入力した場合は一枚糊付けするごとに枚数表示が加算されていく加算表示になるようにしている。）ここでは、仮に０を入力しておく。
【００３８】
６）スタートキー２６ｆを押すと、演算部２７はモーター制御部２８に対し、起動信号を出す。モーター制御部２８はその起動信号を受けてモーター２９を回転させる。その結果、ローラー群が回転し、糊付が開始される。
ローラー群の回転に伴い、クロスは糊付ローラー５によって裏面に糊付けされながら、送り出される。
【００３９】
クロスの移動に伴い検尺ローラー７が回転し、検尺ローラー７に接続されているエンコーダ（ＦＧ）３０からのパルスを演算部２７でカウントし、図３（ｃ）に示すように、カウント表示部２５ｄに０〜設定長さまで表示する。
７）設定長表示部２５ｆとカウント長表示部２５ｄの表示が同じになれば、演算部２７はモーター制御部２８に対し、停止信号を出す。
【００４０】
モーター制御部２８はその停止信号を受けて、モーター２９を停止させる。
このとき、枚数表示部２５ｅの表示は０から１にアップする。
８）作業者は、クロスをカッターガイド１６に押し付け、カッターガイド１６に沿ってカッターでクロスをカットする。
９）つぎに、再度、スタートキー２６ｆを押すと、演算部２７は、モーター制御部２８に起動信号を出力し、モーター制御部２８はモーター２９を回転させ、糊付を開始する。
【００４１】
演算部２７はカウント長表示部２５ｄの表示を２５３からさらにカウントアップ表示し、図３（ｄ）に示すように、その表示が第２設定長と同じになれば、モーター制御部２８へ停止信号を出し、モーター制御部２８はモーター２９を停止させる。
１０）作業者はカッターガイド１６に沿ってクロスをカットする。
【００４２】
これで、１枚目のクロスの糊付は終了する。
１１）同じ長さを続けて糊付するときは、リセットキー２６ｇを押すと、カウント表示部２５ｄの表示が０になり、図３（ｂ）に示す枚数表示部２５ｅの表示が１となった状態となる。ここで、スタートキー２６ｆを押すと、２枚目のクロスの糊付がスタートし、６）〜１０）の繰り返し動作を行う。
【００４３】
また、無地のクロスなどで柄合わせが必要ない場合には、リピート幅表示部２５ｂに０を入力しておくとリピート幅表示が消え、リピート設定モードとならずに従来と同じ使い方ができる。
また、上記の９）でリセットしてからスタートを押すと、カウント値が０にリセットされてからスタートするので、従来の糊付機と同じ使い方ができる。
【００４４】
また、上記のようにリピート幅に０を入力したりするのではなく、図１の入力部２６に「リピート設定モード」と「通常モード」の切換スイッチか、もしくは「リピート設定モード」を解除（ＯＮ／ＯＦＦ）スイッチを設けておき、「通常モード」に切り替えるか、「リピート設定モード」を解除（ＯＦＦ）にするとリピート幅表示、第２設定マイナス長表示、第２設定長表示が消え、従来と全く同じ使い方ができるようにしておいてもよい。
【００４５】
本実施の形態では、リピート幅を作業者が入力するようにしているが、クロスメーカーが表示するクロス品番に対応したリピート幅の一覧表を演算部に予め記憶させておき、作業者がクロス品番を入力することによりリピート幅を設定することもできる。
次に、実施の形態１に示す糊付機における糊付動作について説明する。
【００４６】
ここで予め入力する設定長、リピート幅、第２設定マイナス長は上記実施の形態と同一で、それぞれ設定長：２５３ｃｍ、リピート幅：６２ｃｍ、第２設定マイナス長：３ｃｍとする。
糊付前の準備として、入力部で下記の設定を行う。
ａ）リピート幅入力キー２６ａを押し、テンキーからリピート幅数値（６２ｃｍ）を入力する。
【００４７】
リピート幅表示部２５ｂが０の点滅表示となり、テンキーから入力すると入力値を点滅表示する。セットキー２６ｄを押すことにより点滅から点灯に変わり、リピート幅が確定する。
ｂ）第２設定マイナス入力キー２６ｃを押し、マイナスしたい長さ（３ｃｍ）をテンキーから入力する。
【００４８】
第２設定マイナス表示部２５ｃに、以前の数値又は０が点滅表示され、テンキーから入力すると入力値を点滅表示する。セットキー２６ｄを押すことにより点滅から点灯に変わり、第２設定マイナス値が確定する。
上記設定を行った後、下記の様な順序で作業を行う。
<1>  クロスを糊付機にセットし、柄合わせしたい柄の位置がカット位置にくるようにインチングスイッチ２６ｈを押してクロスを寸動で送る。
【００４９】
<2>  操作パネルに２５３ｃｍを設定長として入力すると、第２設定長表示部２５ｃに３０７ｃｍが自動表示される。
<3>  スタートスイッチ２６ｆを押し、糊付作業を開始する。
<4>  糊付設定長（２５３ｃｍ）まで糊付すると糊付機は自動停止する。＜第１停止長＞
<5>  クロスを軽く押さえてカッターガイド１６に沿ってクロスをカットする 。
【００５０】
<6>  スタートスイッチ２６ｆを再度押す。
<7>  設定長から第２設定長まで自動で糊付して停止する。＜第２停止長＞
<8>  この時は柄の合う位置よりも少しだけ手前で停止するため、インチングキー２６ｈを押して数ｃｍ送り、柄の合う位置で停止させ、柄位置を合わせてカットする。
【００５１】
<9>  同じ長さを続けて糊付するときはリセットを押し、<3>〜<8>を繰り返す。
<10>  設定長さを変える場合は<2>〜<8>の繰り返しとなる。
なお、無地のクロスなどで柄合わせが必要ない場合は、リピート幅に０を入力しておくとリピート幅表示部２５ｂの表示が消え、リピート設定モードとならずに従来と同じ使い方ができる。
【００５２】
また、上記の<6>でリセットしてからスタートを押すと、カウント値が０にリセットされてスタートするので、この場合も従来の糊付機と同じ使い方ができる。  本実施の形態１では、第２設定マイナス長を入力・表示するようにして説明したが、この第２設定マイナス長というのは、（通常糊付機は基本的に設定長さに対し、クロスが短くならないように０〜プラス目になるように作ってあるので，）柄合わせ位置を行きすぎないように手前で止めるための長さ設定であり、この設定はそれほど頻繁に行うものではない。従ってこの第２設定マイナス長は演算部で固定値として持っていてもよいし、変更したいときだけ変更できるようにして、通常は表示しないようにしておいてもよい。
【００５３】
以上説明した通り、本実施の形態によれば、リピート長や第２設定長を予め入力することにより、スタートキーを押すだけでクロスを柄合わせ直前位置まで自動的に送ることができ、残り数ｃｍだけを柄を見ながらインチングで送ればよいため、リピート長が長い時等は大幅に糊付時間を短縮できる。
〔実施の形態２〕
実施の形態１では、クロスの柄のリピート幅を作業者が入力し、これに基づき糊付機の演算部が第２設定長を算出し、柄あわせをする方法を説明したが、これに対し、実施の形態２では、クロスのリピート幅が予め、解っていない場合についての使い方について説明する。
【００５４】
これは、作業者がリピート幅を入力せずに、１枚めのクロスを糊付する際に、糊付設定長で自動停止した後、目でクロス表面の柄を見ながら、インチングキーでクロスを送って柄合わせをし、この時のクロスの全長を柄合わせ長として、演算部が記憶する方法（いわゆるティーチング）である。
図１の、表示部、入力部、図２の、表示部、入力部、演算部から構成される制御部、制御ブロック図は実施の形態１と同一である。
【００５５】
計算式中の、（リピート幅）×（ｎ整数）に相当する長さをティーチングにより求める。
１）図に示す操作パネルの表示部２５には、従来の表示の他に、実施の形態１と同様に、第２設定長表示部２５ａ、第２設定マイナス長表示部２５ｃを設け、入力部２６の操作キーにはテンキーやリセットキー２６ｇ、スタートキー２６ｆの他に第２設定キー２６ｃ、マイナスキー２６ｂを設ける。
【００５６】
２）無地のクロスなど従来の使い方をする場合は、第２設定長を入力せず動作する。
３）第２設定長を入力し、第２停止長を設定記憶（ティーチング）するときは、設定長＜第１停止長＞まで糊付し、自動停止した後、インチング動作で、クロスの柄が合う位置まで、作業者が目で見ながらクロスを移動させ、停止させた後、第２設定キー２６ｃを押し、第２設定表示部２５ａに設定長から第２設定マイナス長を減算した値を点滅表示するようにする。ここで、セットキー２６ｄを押すと、その点滅表示していた値を第２設定長さ＜第２停止長＞として認識記憶する。ここで、値を変えたい場合は、第２設定表示部２５ａが点滅表示の状態でテンキーから希望の数値を入力すれば、必要な設定長の入力を行うことができる。
【００５７】
４）通常モードとリピート設定モードは第２設定長が入力され、表示しているかどうかで自動的に切り替るようにしておく。（初期値を０としておき、入力しなければ０のままである為、０はこのクロス柄合わせをしないと演算部が判断する。）
または、実施の形態１で説明したように、リピート設定モードと通常モードとの切換スイッチもしくは、リピート設定モードの解除（ＯＮ／ＯＦＦ）スイッチを設けておき、通常モードに切り替えるか、リピート設定モードを解除（ＯＦＦ）にすると第２設定マイナス長表示、第２設定長表示が消え、従来と全く同じ使い方ができるようにしておいてもよい。
【００５８】
次に、実施の形態２に示す糊付機における糊付動作について説明する。
ここで予め入力する設定長、第２設定マイナス長は、それぞれ設定長：２５３ｃｍ、第２設定マイナス長：３ｃｍで、リピート幅は不明（しかし、実際は６２ｃｍ）の設定で糊付を行う。
糊付前の準備として次の動作を行う。
【００５９】
<1>  クロスを糊付機にセットし、柄合わせしたい柄の位置がカット位置にくるようにインチングスイッチ２６ｈを押してクロスを寸動で送りクロスをカットする。
<2>  マイナスキー２６ｂを押し、第２設定マイナス表示部２５ｃを０の点滅表示とする。ここで、テンキーより「３」を入力し、第２設定マイナス表示部２５ｃの表示を０から３の点滅表示にし、セットキー２６ｄを押すと、表示部２５ｃは３を点灯表示し、演算部に記憶される。
【００６０】
次に糊付動作について説明する。まず１枚目の糊付けについて説明する。
<3>  クリアキー２６ｃを押すと、設定長さ表示部２５ｆが０の点滅表示となる。ここでテンキーから２５３を入力すると、表示部２５ｆは２５３の点滅表示となる。セットキー２６ｄを押すと、表示部２５ｆは２５３の点灯表示となり、演算部に記憶される。
【００６１】
<4>  スタートスイッチ２６ｆを押すと、演算部２７からモーター制御部２８に起動信号が出力され、モーター制御部２８はモーターを駆動し、ローラー群が回転し、糊付けが開始される。
ローラー群の回転に伴い、クロスは糊付ローラー５によって裏面に糊付けされながら、送り出される。
【００６２】
クロスの移動に伴い、検尺ローラー７が回転し、検尺ローラ７に接続されているエンコーダ（ＦＧ）３０からのパルスを演算部２７でカウントし、カウント表示部に０〜設定長まで表示していく。
<5>  設定長表示部２５ｆとカウント長さ表示部２５ｄに表示される長さが同じになれば、演算部２７はモーター制御部２８に対し、停止信号を出す。
【００６３】
モーター制御部２８はその停止信号を受けて、モーターを停止させる。
このとき、図４（ｂ）に示すように、枚数表示部２５ｅの表示は０から１にアップする。
<6>  作業者はクロスを軽く押さえてカッターガイド１６に沿ってクロスをカットする。
【００６４】
次に、ティーチング動作について説明する。
<7>  <1>で合わせた柄の位置までインチングキー２６ｈを押したまま、クロスを送る。カット長表示部２５ｄには、図４（ｃ）に示すように、例えば３１０として柄の位置までクロスが到達すると、インチングキー２６ｈを離してクロスを止め、その位置でクロスをカットする。
【００６５】
その時の長さが表示されている。これは自動で糊付した長さとインチングで送った長さとのトータル長さである。
<8>  ここで、第２設定キー２６ｃを押すと、最初表示されていなかった第２設定長表示部2５ａに、カウント長表示部２５ｄの表示の３１０よりも第２設定マイナス長の長さである３ｃｍ分だけ小さい数の３０７ｃｍが点滅表示される。
【００６６】
<9>  ここで、セットキー２６ｄを押すと、図４（ｄ）に示すように第２設定長としてその長さが点灯表示され、演算部に第２設定長として記憶される。
第２設定長を変更したいときは、↑↓キーを押せば、数値をアップ／ダウンして変更可能である。または、クリアキー２６ｅを押すと０の点滅表示に変わるので、テンキーから数値を入力し、セットキーで確定させてもよい。
【００６７】
次に、２枚目以降の糊付け動作について説明する。
<10>  リセットキー２６ｇを押すと、図５（ａ）に示すようにカウント長表示部２５ｄのカウント表示が０になる。スタートキー２６ｆを押すと、モーター２９が起動し、２枚目の糊付を開始する。
<11>  モーター２９が起動すると表示部の表示は、カウント長表示部２５ｄのカウント表示が０からアップしていき、図５（ｂ）に示すように、設定長さの２５３ｃｍで停止する。
【００６８】
<12>  カッターガイド１６に合わせてクロスをカットする。
<13>  再度、スタートキー２６ｆを押すと、糊付を開始し、カウント長表示部２５ｄのカウント表示は２５３からカウントアップしていく。
<14>  設定長（２５３ｃｍ）から図５（ｃ）に示す第２設定長（３０７ｃｍ）まで自動で糊付して停止する。
【００６９】
<15>  この時は柄の合う位置よりも少しだけ手前で停止するため、インチングで数ｃｍ送り、柄の合う位置で停止させ、柄位置を合わせてカットする。このとき表示は図５（ｄ）となっている。
<16>  ３枚目以降は<10>〜<15>を繰り返す。
<17>  設定長を変える場合は<3>〜<16>の繰り返しとなる。
【００７０】
以上説明した通り、本実施の形態によれば、クロスのリピート幅が予め解っていない場合であっても、一度手動により入力することにより、クロスを柄合せ直前位置まで自動的に送ることができるため、リピート幅が長い場合には大幅に糊付時間を短縮できる。
〔実施の形態３〕
実施の形態１や２では、入力したリピート幅から柄合わせ長や第２設定長を演算したり、糊付設定長さ糊付後、手動送りにて柄合わせ位置まで移動させ、その時のカウント表示長をワンタッチで記憶させて第２設定長を確定させたりしたが、この様な方法では制御のプログラムが少し複雑になり、操作も少し難しくなるので、実施の形態２をもっと簡略化した実施例を以下に説明する。
【００７１】
図９に示すように、操作パネル部の表示部２５には従来の表示の他に糊付第２設定長表示部を設け、入力部２６の操作キー部には、従来の入力キーの他に、糊付第２設定キー、糊付設定長停止解除キーを設ける。制御ブロック図は実施の形態１及び２と同じで、図２に示したものと同じである。
この方法は、糊付設定長を入力した後、１枚目の糊付けを行い、糊付設定長で停止した後、手動送り（インチング）でクロスを送って、次の柄合わせ位置に合わせたときのカウント表示長２５ｄを作業者が見て、その長さに対し、少し短めの適当な長さを作業者が判断し、糊付第２設定長として手動で操作キー部から入力・設定する方法である。以下、その概略を説明すると、
１）図９に示す操作パネルの表示部２５には従来の表示の他に糊付第２設定長の表示部を設け、入力部２６の操作キー部には、従来の入力キーの他に、糊付第２設定キー、糊付設定長停止解除キーを設ける。
【００７２】
２）糊付第２設定長の入力は、まず、実際に糊付したい糊付設定長と糊付枚数を操作パネルから入力し、スタートキー２６ｆにより、１枚目の糊付けを行う。糊付設定長で自動停止後、クロスをカットし、次の柄合わせ位置までインチングキー２６ｈでクロスを送る。
３）柄合わせ位置でインチングキー２６ｈを離して停止させる。このとき、カウント長表示部２５ｄにはスタートキー２６ｆで送った長さとインチングキー２６ｈで送った長さとトータル長さが表示されており、これは、ほぼリピート幅の整数倍の柄合わせ長である。この長さを作業者が目で確認して、それにより何ｃｍか短い適当な長さを決めて、それを糊付第２設定長として入力する。
【００７３】
実際の入力方法としては、入力部２６の糊付第２設定キー２６ｋを押すと、糊付け第２設定長表示部２５ｇが０の点滅表示となり、入力部のテンキーから希望の数値を入力する。
４）次にリセットを押してカウント長表示２５ｄを０とし、スタートキー２６ｆを押すと２枚目の糊付けが始まり、一度糊付設定長で自動停止する。
【００７４】
５）ここで、クロスを一度カットしてもよいし、カットしないで再度スタートキーを押すと続けて糊付けを開始し、糊付第２設定長まで糊付すると自動停止する。
以上の手順により糊付けを行うものである。
ここでいう、糊付第２設定長とは、１回目のスタートキーで糊付設定長まで糊付して、自動停止した後、２回目のスタートキーで停止する為の設定長さのことであり、原則的には糊付設定長よりも長い値である。
【００７５】
次に、この実施の形態３に示す糊付機における糊付動作について説明する。
演算部２７、モーター制御部２８、エンコーダ（ＦＧ）３０、モーター２９間の制御信号や検尺パルスのカウントなどの内容は実施の形態２と同じであるため、ここでは省略して説明する。
ここで、予め入力する糊付設定長は：２５３ｃｍ、リピート幅：６２ｃｍのクロスと仮定して糊付けを行う。
【００７６】
まず、糊付準備を行う。
<1>  クロスを糊付機にセットし、柄合わせしたい柄の位置がカット位置にくるようにインチングスイッチ２６ｈを押してクロスを寸動で送りクロスをカットする。
<2>  クリアキー２６ｃを押すと、設定長さ表示部２５ｆが０の点滅表示となる。ここでテンキーから２５３を入力すると、表示部２５ｆは２５３の点滅表示となる。セットキー２６ｄを押すと、表示部２５ｆは２５３の点灯表示となり、演算部に記憶される。次に、枚数設定表示部が０の点滅表示となる。ここで、糊付したい枚数をテンキーから入力すれば、一枚糊付ごとに減算表示となり、０を入力すれば、一枚糊付ごとに加算表示となるが、ここでは０を入力しておく。セットキー２６ｄを押すと枚数が０の点灯表示となる。
【００７７】
<3>  スタートスイッチ２６ｆを押すと、糊付けが開始され、クロスは糊付ローラーによって裏面に糊付けされながら、送り出される。クロスの移動に伴い、検尺パルスが演算部２７でカウントし、カウント表示部２５ｄに０〜糊付け設定長まで表示していく。
<4>  設定長表示部２５ｆとカウント長さ表示部２５ｄに表示される長さが同じになれば、自動停止する。このとき、枚数表示部２５ｅの表示は０から１にアップする。
【００７８】
<5>  クロスを軽く押さえてカッターガイド１６に沿ってクロスをカットする。
次に、ティーチング動作について説明する。
<6>  <1>で合わせた柄の位置までインチングキー２６ｈを押したまま、クロスを送る。柄の合う位置までくるとインチングキー２６ｈを離してクロスを止め、その位置でクロスをカットする。
【００７９】
このとき、カウント長表示部２５ｄには糊付設定長さとインチングキー２６ｈで送った長さとの合計長さが表示されており、この長さはつまり、ほぼリピート幅の整数倍（柄合わせ長）となっているはずである。
この長さを作業者が見て、柄合わせ長を知る。（この場合、３１０ｃｍとする）
<7>  糊付第２設定キー２６ｋを押すと、糊付第２設定長表示部２５ｇが０の点滅表示となる。作業者は<6>で知った柄合わせ長に対し、２枚目以降の糊付け作業において柄合わせのために手前で止めたいと思う長さ（柄合わせ長よりも何ｃｍか短い長さ）を決め、その長さをテンキーから入力する。
【００８０】
３ｃｍ程手前で止めたければ、３０７と入力する。表示部２５ｇは３０７の点滅表示となる。セットキー２６ｄを押すと、表示部２５ｇは３０７の点灯表示となり、演算部２７に糊付第２設定長として記憶される。
次に、２枚目以降の糊付け動作について説明する。
<8>  リセットキー２６ｇを押すと、カウント表示部２５ｄの表示が０になる。スタートキー２６ｆを押すと、２枚目の糊付けを開始する。
【００８１】
<9>  糊付けに伴って、カウント表示部２５ｄの表示は０から糊付設定長２５３までアップしていき、２５３で糊付機は自動停止する。
<10>  クロスを軽く押さえ、カッターガイド１６に沿ってクロスをカットする。
<11>  再度、スタートキー２６ｆを押すと、糊付けを開始し、カウント長表示部２５ｄのカウント表示は２５３からアップしていく。
【００８２】
<12>  糊付設定長（２５３ｃｍ）から糊付第２設定長（３０７ｃｍ）まで、自動で糊付けして停止する。
<13>  この停止した位置は柄の合う位置よりも少し手前のため、インチングキー２６ｈで柄の合う位置まで数ｃｍ送り、柄の合う位置で停止させ、柄位置を合わせてカットする。このとき、カウント長表示部２５ｄはほぼ、柄合わせ長（３１０ｃｍ）となっているはずである。
【００８３】
<14>  ３枚目以降は<8>〜<13>を繰り返す。
<15>  糊付設定長を変える場合は、<2>〜<14>の繰り返しとなる。
以上説明した動作は、余分な長さを切り捨てるという考えに沿って説明したが、切り捨てる長さが短い場合や、長くても切り捨てる必要がない場合には、糊付設定長さで停止してカットせずに糊付第２設定長まで連続して糊付してしまいたい場合がある。このような場合には、上記<7>の１枚目の糊付けと糊付第２設定長の入力が終わり、<8>の２枚目以降の糊付けに入る前に、図９の設定長停止解除キー２６ｍを押して、糊付設定長で停止しないモードにしておけば、上記<9>〜<11>の操作はとばして一度のスタート操作で糊付第２設定長まで糊付けして自動停止するようにもできる。これは先に説明した実施の形態１及び２にも同じように適用でき、さらに糊付け作業効率をアップすることができる。
【００８４】
以上説明したように、本実施の形態によれば、クロスのリピート幅が解らなくても、１回目の糊付け後に、任意の糊付第２設定長を入力することにより、２枚目以降のクロスを柄合わせ直前位置まで自動的に送ることができるため、切り捨てる長さが長い場合には大幅に糊付け時間を短縮できる。
【００８５】
【発明の効果】
従来は設定長さでカット後、柄合わせ位置までインチングスイッチを押し続けてクロスの送りを行っていたが、本発明によれば、リピート長や、第２設定長を予め入力することにより、スタートキーを押すだけでクロスを柄合わせ直前位置まで自動で送ることができるようになり、残りの数ｃｍだけを柄を見ながらインチングで送ればよいため、特にリピート幅の長いとき等は大幅な糊付時間を短縮でき、作業効率を格段に向上する糊付機を提供することができる。
【図面の簡単な説明】
【図１】本発明の操作パネルの表示部、入力部の一例を示す配置図である。
【図２】本発明の制御ブロック図である。
【図３】（ａ）〜（ｄ）：本発明の実施の形態１における表示部の表示例である。
【図４】（ａ）〜（ｄ）：本発明の実施の形態２における表示部の表示例である。
【図５】（ａ）〜（ｄ）：本発明の実施の形態２における２枚目以降の表示部の表示例である。
【図６】クロスの柄模様とカット位置の関係を示す図である。
【図７】（ａ）〜（ｃ）：自動壁紙糊付機の側面断面図である。
【図８】（ａ）〜（ｂ）：従来の一般的な操作パネルの表示部・入力部を示す配置図である。
【図９】本発明の実施の形態３における表示部の表示例である。
【符号の説明】
１  上部フレーム
２  下部フレーム
３  送り出しローラ
４  ドクターローラ
５  糊付ローラ
６  ナラシローラ
７  検尺ローラ
８  ハイテンションローラ
９  押えローラ
１０  糊上ローラ
１１  糊箱
１２  紙受ブラケット
１２ａ  芯棒受け部
１３  原反芯棒
１４  サイド盤
１５  カッター
１６  カッターガイド
１７  クロス原反
１８  クロス
２０  入力部
２１  表示部
２２  設定長表示部
２３  カウント長表示部
２４  枚数表示部
２５  表示部
２５ａ  第２設定長表示部
２５ｂ  リピート幅表示部
２５ｃ  第２設定マイナス長表示部
２５ｄ  カウント長表示部
２５ｅ  枚数表示部
２５ｆ  設定長表示部
２５ｇ  糊付第２設定長表示部
２６  入力部
２６ａ  リピート幅キー
２６ｂ  マイナスキー
２６ｃ  第２設定キー
２６ｄ  セットキー
２６ｅ  クリアキー
２６ｆ  スタートキー
２６ｇ  リセットキー
２６ｈ  インチングキー
２６ｋ  糊付第２設定キー
２６ｍ  糊付設定長停止解除キー
２７  演算部
２８  モータ制御部
２９  モータ
３０  エンコーダ
【図１】
0004264485.tif 000002
【図２】
0004264485.tif 000003
【図３】
0004264485.tif 000004
【図４】
0004264485.tif 000005
【図５】
0004264485.tif 000006
【図６】
0004264485.tif 000007
【図７】
0004264485.tif 000008
【図８】
0004264485.tif 000009
【図９】
0004264485.tif 000010